(57)【要約】【課題】本体ケース２の上面に操作パネル部４のような突出部があっても、これに邪魔されることなく、画像読取部ケース１２を移動させて、本体ケース２の上面開口部２ｃを開放させる。【解決手段】用紙に画像を記録する画像記録部と、その画像記録部に用紙を給送して排出する搬送手段とが備えられた本体ケース２の上面前側部位には、操作パネル部１４が設けられ、その後側に原稿を読取る読取手段が備えられた画像読取部ケース１２が配置された画像記録装置において、本体ケース２と画像読取部ケース１２とを連結する開閉手段は、第１リンク４１と第２リンク４２とにより構成され、画像読取部ケース１２が上面開口部２ｃに対して閉止する姿勢と、画像読取部ケース１２の下面が操作パネル部の上面と、上面開口部２ｃのうち操作パネル部に隣接する個所とに跨がって覆うように開く姿勢とに、画像読取部ケース１２が移動可能となるように構成されている。【選択図】図５
2008113322.tif 000002
【特許請求の範囲】
【請求項１】
被記録媒体上に画像を記録する画像記録部と、その画像記録部に被記録媒体を給送して排出する搬送手段とが備えられた下側本体と、原稿を読取る読取手段が備えられた上側本体とからなり、前記下側本体の上面一側部位には、突出部が設けられている画像記録装置において、
前記下側本体と上側本体とを、開閉手段にて連結し、
該開閉手段は、
前記上側本体が前記突出部を除く前記下側本体の上面開口部に対して閉止する姿勢と、前記上側本体の下面が前記突出部の上面と、前記下側本体の上面開口部のうち前記突出部に隣接する個所とに跨がって覆うように開く姿勢とに、前記上側本体が移動可能となるように構成されていることを特徴とする画像記録装置。
【請求項２】
前記開閉手段は、前記上下両本体の側面視において、前記下側本体の上面開口部のうち前記突出部に近い側と遠い側とに位置する回動支点に回動可能に連結された複数のリンクからなる４節リンク機構であることを特徴とする請求項１に記載の画像記録装置。
【請求項３】
前記開閉手段は、前記上下両本体の側面視において、前記下側本体の上面開口部のうち前記突出部に近い側に基端が回動可能に連結されたリンクと、
前記突出部から遠い側にて前記上側本体が前記下側本体に対して前記突出部の方向に遠近動するスライド手段とを備えたスライダ・リンク機構であることを特徴とする請求項１に記載の画像記録装置。
【請求項４】
前記突出部は操作パネル部であり、前記下側本体内のうち、前記操作パネル部から遠い側に記録部及び被記録媒体の給紙搬送路が配置されていることを特徴とする請求項１乃至３のいずれかに記載の画像記録装置。
【請求項５】
前記下側本体には、前記記録部に向かって被記録媒体を搬送するための給紙搬送路を有し、
前記給紙搬送路は、側面視で横向きＵ字状の外径側搬送路体と、この外径側搬送路体の内径側に適宜隙間を隔てて配置される内径側搬送路体とを備え、
前記外径側搬送路体が前記下側本体における前記突出部から遠い側にて着脱可能に装着されていることを特徴とする請求項１乃至４のいずれかに記載の画像記録装置。
【発明の詳細な説明】
【技術分野】
【０００１】
本発明は、記録部等が備えられた下側本体に対して、原稿読取手段が備えられた上側本体が開閉可能に装着された画像記録装置に係り、より詳しくは、記録部等における紙ジャム処理作業が容易にできるように、上側本体を開閉できる画像記録装置の構成に関する。
【背景技術】
【０００２】
従来の各種複写機やファクシミリ等の画像記録装置、例えば特許文献１に示すデジタル複写機において、プリンタ部である下側本体の上面側に位置するスキャナ部を有する上側本体を、下側本体の上面開口部に沿って水平方向にスライド可能に連結する開閉機構として、一方の本体に設けられたレール部に沿って移動するローラを他方の本体に装着した構成が開示されている。その場合、下側本体の上面（開口部）は全体として平面であるときには、そのスライドによる開閉方向が平面視で４方向のいずれであっても良い。
【特許文献１】特開平９−１８９９７２号公報（図１〜図３参照）
【発明の開示】
【発明が解決しようとする課題】
【０００３】
しかしながら、特許文献１のスライド機構を採用すると、下側本体の上面の開放された平面視の領域（面積）と同じ面積分だけ上側本体が下側本体の側方外向きに突出する（はみ出す）ことになる。この突出した分だけ上側本体の重心位置が横ずれまたは前後にずれるので、例えば、紙ジャム処理のために開放面積が大きくなるように、前記上側本体の開放方向へのスライド量を大きくすると、装置全体として安定性に欠けるという問題があった。
【０００４】
また、下側本体の上面のうちの一部、例えば、下側本体の上面前部側に操作パネル部等の上向きに突出した部材が存在する構成では、特許文献１のスライド機構を採用する時、上側本体のスライド方向が、前記突出部から遠ざかる方向になるか、前記突出部に隣接した左右方向に限定されるという問題があった。
【０００５】
本発明は、これらの問題を解決すべくなされたものであり、比較的簡単な構成を採用することにより、開放面積をできる限り大きくでき、且つ開いた状態においても装置全体の安定性を確保できる画像記録装置を提供することを目的とするものである。
【課題を解決するための手段】
【０００６】
前記目的を達成するため、請求項１に記載の発明の画像記録装置は、被記録媒体上に画像を記録する画像記録部と、その画像記録部に被記録媒体を給送して排出する搬送手段とが備えられた下側本体と、原稿を読取る読取手段が備えられた上側本体とからなり、前記下側本体の上面一側部位には、突出部が設けられている画像記録装置において、前記下側本体と上側本体とを、開閉手段にて連結し、該開閉手段は、前記上側本体が前記突出部を除く前記下側本体の上面開口部に対して閉止する姿勢と、前記上側本体の下面が前記突出部の上面と、前記下側本体の上面開口部のうち前記突出部に隣接する個所とに跨がって覆うように開く姿勢とに、前記上側本体が移動可能となるように構成されているものである。
【０００７】
請求項２に記載の発明は、請求項１に記載の画像記録装置において、前記開閉手段は、前記上下両本体の側面視において、前記下側本体の上面開口部のうち前記突出部に近い側と遠い側とに位置する回動支点に回動可能に連結された複数のリンクからなる４節リンク機構であることを特徴とするものである。
【０００８】
請求項３に記載の発明は、請求項１に記載の画像記録装置において、前記開閉手段は、前記上下両本体の側面視において、前記下側本体の上面開口部のうち前記突出部に近い側に基端が回動可能に連結されたリンクと、前記突出部から遠い側にて前記上側本体が前記下側本体に対して前記突出部の方向に遠近動するスライド手段とを備えたスライダ・リンク機構であることを特徴とするものである。
【０００９】
請求項４に記載の発明は、請求項１乃至３のいずれかに記載の画像記録装置において、前記突出部は操作パネル部であり、前記下側本体内のうち、前記操作パネル部から遠い側に記録部及び被記録媒体の給紙搬送路が配置されているものである。
【００１０】
請求項５に記載の発明は、請求項１乃至４のいずれかに記載の画像記録装置において、前記下側本体には、前記記録部に向かって被記録媒体を搬送するための給紙搬送路を有し、前記給紙搬送路は、側面視で横向きＵ字状の外径側搬送路体と、この外径側搬送路体の内径側に適宜隙間を隔てて配置される内径側搬送路体とを備え、前記外径側搬送路体が前記下側本体における前記突出部から遠い側にて着脱可能に装着されているものである。
【発明の効果】
【００１１】
請求項１に記載の発明によれば、画像記録装置における下側本体と上側本体とを、開閉手段にて連結し、該開閉手段は、前記上側本体が前記突出部を除く前記下側本体の上面開口部に対して閉止する姿勢と、前記上側本体の下面が前記突出部の上面と、前記下側本体の上面開口部のうち前記突出部に隣接する個所とに跨がって覆うように開く姿勢とに、前記上側本体が移動可能となるように構成されているものであるので、下側本体の上面開口部の一部に突出部があっても、これに邪魔されること無く、上側本体の少なくとも一方（突出部に近い側）を持ち上げた状態で移動でき、この突出部を乗り越えることができるから、上面開口部を大きい範囲で開放することができ、紙ジャム処理作業を確実に実行できるという効果を奏する。
【００１２】
請求項２に記載の発明によれば、４節リンク機構により上側本体の全体を下側本体の上面開口部から離間する姿勢も採りうるので、より一層上面開口部を大きい範囲で開放することができ、紙ジャム処理作業を確実に実行できるという効果を奏する。
【００１３】
請求項３に記載の発明によれば、リンクで連結されている個所で上側本体を持ち上げて突出部を回避して移動させる一方、スライド手段にて下側本体と上側本体とが連結されてる個所は上面開口部に沿って移動できるので、上側本体の移動を安定して行うことができる。
【００１４】
請求項４に記載の発明によれば、前記突出部は操作パネル部であり、前記下側本体内のうち、前記操作パネル部から遠い側に記録部及び被記録媒体の給紙搬送路が配置されているものであるので、上側本体の全閉状態から全開状態まで、上側本体の背面が下側本体の背面から後方に突出しないので、室の壁に画像記録装置の背面を接近させて配置でき、その状態で紙ジャム処理できる。
【００１５】
請求項５に記載の発明によれば、外径側搬送路体を下側本体から外して紙ジャム処理できる。
【発明を実施するための最良の形態】
【００１６】
次に、本発明を具体化した最良の実施形態について説明する。図１は画像記録装置の正面側斜視図、図２は第１実施形態の背面側斜視図、図３は側断面図、図４は第１実施形態の開閉手段により上側本体を全開した状態を示す斜視図、図５（ａ）は第１実施形態の開閉手段により上側本体を下側本体に対して全閉した状態の側面図、図５（ｂ）は上側本体の開閉移動の途中の状態を示す側面図、図５（ｃ）は上側本体を全開した状態を示す側面図、図６は第２実施形態の画像記録装置の斜視図、図７は第２実施形態の開閉手段により上側本体を全開した状態を示す斜視図、図８（ａ）は全閉状態の側面図、図８（ｂ）は上側本体の開閉移動の途中の状態を示す側面図、図８（ｃ）は上側本体を全開した状態を示す側面図である。
【００１７】
本実施形態は、画像記録装置の１実施形態としての、プリンタ機能、コピー機能、スキャナ機能、ファクシミリ機能及びコードレス電話機能を備えた多機能装置１（ＭＦＤ：Multi Function Device ）に本発明を適用したものである。多機能装置１は、図示されていないコンピュータや電話通信網に接続可能であり、このコンピュータや他のファクシミリ装置から送信された画像データや文書データに基づいて、被記録媒体の一例としての記録用紙に画像や文書を記録することができる。また、多機能装置１は、デジタルカメラ等の外部機器と接続されてデジタルカメラから出力される画像データを記録用紙に記録することができる。
【００１８】
本実施形態では、図１に示すように、合成樹脂製の下側本体としての本体ケース（ハウジング）２内に画像記録部（以下、記録部という）７が備えられている。そして、本体ケース２の底部のカセット収納部（収納空間）に対して、本体ケース２の前側に開口された挿入口２ａから挿抜可能（実質上水平方向に出し入れ可能）な主給紙カセット３が配置されている。以下、合成樹脂製の本体ケース２の挿入口２ａがある側を前側または前方といい、これを基準に装置の前側、左右側、後側（奥側）という。本体ケース２の前面部にはスロット部１１が備えられ、このスロット部１１にメモリカード等の各種記憶媒体が装填されることによって当該記憶媒体に記憶された画像データ等を記録用紙に記録することも可能である。
【００１９】
本体ケース２の上面のうち前部には、各種操作ボタンや液晶表示部等を備えた操作パネル部１４が上向きに若干寸法だけ突出するように設けられている。この操作パネル部１４は、本発明における上向きの突出部の一例である。
【００２０】
本体ケース２の上面のうち、操作パネル部１４より後部には、上側本体としての画像読取部ケース１２が後に詳述する開閉手段４０を介して開閉可能に装着されている。コピー機能やファクシミリ機能における原稿読取などのための画像読取装置（スキャナ部）１２ａが画像読取部ケース１２内に配置されている。
【００２１】
画像読取部ケース１２の上面側には、原稿を載置することができる載置用ガラス板１６が設けられている。載置用ガラス板１６の下側に画像読取装置（スキャナ部）１２ａとしての原稿読取り用のイメージスキャナ装置（ＣＩＳ：Contact Image Sensor）１７が図２の紙面と直交する方向（主走査方向、以下、Ｘ軸方向という）に往復移動可能に設けられている。
【００２２】
載置用ガラス板１６の上面を覆う原稿カバー体１３はその後端部（図２で右側）が蝶番１３ａを介して画像読取部ケース１２に対して開閉自在に取り付けられている。
【００２３】
図１〜図４（ｃ）は、開閉手段４０の第１実施形態を示す。この実施形態では、開閉手段４０は複数のからなる４節リンク機構である。上下両本体である本体ケース２及び画像読取部ケース１２の側面視において、本体ケース２の上面開口部２ｃのうち操作パネル部１４に近い側と遠い側とに位置する回動支点を介してリンク４１、４２が回動可能に連結されている。即ち、図５（ａ）〜図５（ｃ）に示すように、操作パネル部１４に近い側において、本体ケース２のブラケット部に、第１リンク４１の下端の枢支ピン（回動支点）４１ａが回動可能に枢着されている。同様に、操作パネル部１４に近い側において、画像読取部ケース１２の下面のブラケット部に、第１リンク４１の上端の枢支ピン（回動支点）４１ｂが回動可能に枢着されている。
【００２４】
実施形態では、第１リンク４１及び第２リンク４２共に、本体ケース２の左右両側に設けて合計４本のリンクからなるが、左右第１リンク４１の上端側を左右方向に連結片にて連設した構成であっても良い。
【００２５】
そして、開閉手段４０により、画像読取部ケース１２が操作パネル部１４を除く本体ケース２の上面開口部２ｃに対して閉止する姿勢（全閉状態：図５（ａ）参照）と、画像読取部ケース１２の下面が操作パネル部１４の上面と、本体ケース２の上面開口部２ｃのうち操作パネル部１４に隣接する個所とに跨がって覆うように開く姿勢（全開状態：図５（ｃ）参照）とに、画像読取部ケース１２が上下回動可能となるように構成されている。
【００２６】
画像読取部ケース１２が本体ケース２の上面開口部２ｃの全体を閉止する姿勢（全閉状態）では、画像読取部ケース１２及び本体ケース２の背面がほぼ一致するように閉止される。第１リンク４１及び第２リンク４２の長さの設定と、両リンク４１、４２の下端の枢支ピン４１ａ、４２ａの配置位置を適宜設定することにより、前記全開状態の画像読取部ケース１２の前端位置が操作パネル部１４の前端位置とほぼ同じ位置となるようにさせたり、図５（ｃ）のように、画像読取部ケース１２の前端位置が操作パネル部１４の前端位置より前方位置となるようにさせたりすることができる。
【００２７】
また、前記全開状態の画像読取部ケース１２の下面後端部が本体ケース２の上面開口部２ｃに当接したとき、第２リンク４２が画像読取部ケース１２の背面板と干渉しないようにするため、画像読取部ケース１２の背面板に切欠き部４３を設けることが好ましい（図３、及び図４参照）。
【００２８】
操作パネル部１４より後部である上面開口部２ｃは、後述する記録部７の上面の一部が露出するような開口窓４４が形成されている（図４参照）。画像読取部ケース１２と操作パネル部１４との平面視投影面積内に、記録部７と排紙部１０などが配置される。この排紙部１０の一側（図１で右側）であって、本体ケース２の前部側に、インクカートリッジの収納装置１５が内蔵されている。そして、本体ケース２の前部側に下端を蝶番を介して上下回動して開閉する蓋体２ｂにて収納装置１５の前面側が覆われている。
【００２９】
記録部７は、図２に示すように、上面開放された枠状のメインフレーム２１における左右一対の側板（図示せず）にて支持され、Ｘ軸方向（主走査方向）に延びる横長の板状（プレート状）の第１ガイド部材２２、第２ガイド部材２３と、キャリッジ５と、プラテン２６とを備えている。
【００３０】
両ガイド部材２２、２３に跨がって摺動自在に支持（搭載）されて往復移動可能に構成されたキャリッジ５には、その下面に記録ヘッド４が搭載されている。キャリッジ５を往復移動させるために、第２ガイド部材２３の上面にそれと平行状にて、プーリに巻回配置された無端ベルトとしてのタイミングベルト（図示せず）と、そのタイミングベルトを駆動するＣＲ（キャリッジ）モータ（実施形態ではＤＣモータであるが、ステッピングモータ等他のモータでもよい。図示せず）とを備えている。記録ヘッド４の下面側にて搬送される用紙（被記録媒体）を支持する板状のプラテン２６はメインフレーム２１に固定されている。キャリッジ５のＸ軸方向（主走査方向）の位置とその方向の移動速度を検知するための光学式リニアエンコーダの構成部品であるテープスケール（図示せず）は、第２ガイド部材２３の上面にて主走査方向に沿って延びるように配置されている。
【００３１】
なお、プラテン２６上で用紙が通過する方向での用紙搬送方向（矢印Ａ方向、図２参照）の上流側に、第１ガイド部材２２が配置され、下流側に第２ガイド部材２３が配置されることになる。
【００３２】
また、プラテン２６よりも搬送上流側には、搬送作用とレジスト作用を兼用させるレジストローラ対２７が配置されている。駆動ローラ２７ａと従動ローラ２７ｂとからなるレジストローラ対２７は用紙を記録ヘッド４の下面のノズル面とプラテン２６との隙間に搬送する。プラテン２６よりも下流側には、用紙の上面に接する拍車２８ｂと下面側の駆動する排紙ローラ２８ａとが配置されている。この排紙ローラ２８ａと拍車２８ｂとは記録済みの用紙を排紙部１０へと搬送する。
【００３３】
本実施形態では、図２に示すように、主給紙カセット３には、被記録媒体としての例えばＡ４サイズ、レターサイズ、リーガルサイズ等にカットされた大サイズの用紙をその短辺が（図２において紙面と直交する方向、主走査方向、Ｘ軸方向）に延びるようにして複数枚積層（堆積）されて収納できる収容部を備えている。
【００３４】
主給紙カセット３の上部には、例えば葉書等の小サイズの用紙を複数枚堆積させて収納できる載置部を備えた補助給紙カセット３３がＹ軸方向（用紙搬送方向、副走査方向）に移動可能に装着されている。
【００３５】
主給紙カセット３の奥側（後端側、給送方向下流側、図２において右端）には、用紙分離用の傾斜分離板８が配置されている。傾斜分離板８の幅方向（Ｘ方向）の中央部の内面（表面）側には、分離手段としての弾性分離パッド８ａ（実施形態では板バネ製である）が設けられている。
【００３６】
他方、本体ケース２側には、給紙手段６としての給紙ローラ６ｂが設けられている。即ち、給紙手段における給紙アーム６ａの上端部に駆動軸３４を備え、この駆動軸３４を中心として上下方向に回動可能な給紙アーム６ａが装着されている。この給紙アーム６ａの下端に設けられた給紙ローラ６ｂと、弾性分離パッド８ａとの協働作用により、主給紙カセット３または補助給紙カセット３３に堆積された用紙を一枚ずつ分離搬送する。分離された用紙は後述するような構成の上横向きのＵターンパス（給紙搬送路）９用の搬送路体を介して主給紙カセット３よりも上側（高い位置）に設けられた記録部７に給送される。記録部７にて記録された用紙がその記録面を上向きにして排出される排紙部（排紙トレイ部）１０は、補助給紙カセット３３の上側に形成されており、排紙部１０に連通する排紙口１０ａ（挿入口２ａの上方、図１参照）が本体ケース２の前面に向かって開口されている。
【００３７】
次に、主給紙カセット３及び補助給紙カセット３３に対する給紙搬送路（Ｕターンパス）９を構成するための搬送路体の構成について説明する。本発明による搬送路体は、図２に示すごとく、側面視で横向きＵ字状の外径側搬送路体３５と、この外径側搬送路体３５の内径側に適宜隙間を隔てて配置される内径側搬送路体３６とを備えている。外径側搬送路体３５及び内径側搬送路体３６はそれぞれ合成樹脂製の射出成形品である。なお、給紙搬送路（Ｕターンパス）９の下流側には、内径側搬送路体３６よりも内径側から半径外方向に延びる用紙有無センサ用の検知レバー５５が回動可能に設けられており、給紙搬送路（Ｕターンパス）９を通過する用紙の先端縁及び後端縁の通過を検知できるようにしている。
【００３８】
外径側搬送路体３５は本体ケース２の背面の開口部２ｄに対して後向きに抜け可能となるように装着されている（図３及び図４参照）。
【００３９】
上記の構成において、記録部７におけるプラテン２６上や、給紙搬送路９に搬送される用紙が詰まった時には、ユーザーは、上側本体である画像読取部ケース１２を上方、前側に持ち上げ（図５（ｂ）参照）、図５（ｃ）のように、この画像読取部ケース１２を操作パネル部１４の上面と、本体ケース２の上面開口部２ｃのうち操作パネル部１４に隣接する個所とに跨がるように全開させる。次いで、上記プラテン２６上の紙ジャムでは、本体ケース２の上面開口部２ｃの後側の開口窓４４から指を差し込んで、詰まった用紙を除去する。給紙搬送路９で発生した紙ジャムのときは、外径側搬送路体３５を本体ケース２の背面の開口部２ｄから外すと、内径側搬送路体３６が露出するので、詰まった用紙の除去か至極簡単に実行することができる。
【００４０】
第１リンク４１及び第２リンク４２が前倒し状態になれば、比較的低い位置にて、画像読取部ケース１２が操作パネル部１４の上面及び上面開口部２ｃに載置した姿勢となり、全開状態の画像読取部ケース１２の姿勢が安定するので、紙ジャム処理時に、ユーザーは、画像読取部ケース１２を手で保持する必要がなく、また、姿勢保持機構も不要となる。
【００４１】
第１実施形態では、４節リンク機構により画像読取部ケース１２の全体を本体ケース２の上面開口部２ａから離間する姿勢も採りうるので、より一層上面開口部２ａを大きい範囲で開放することができ、紙ジャム処理作業を確実して実行できるという効果を奏する。
【００４２】
図６〜図８は開閉手段４５の第２実施形態を示す。開閉手段４５は、本体ケース２及び画像読取部ケース１２の側面視において、本体ケース２の上面開口部２ｃのうち操作パネル部４に近い側に基端が回動可能に連結されたリンク４６と、操作パネル部１４から遠い側にて画像読取部ケース１２が下側本体２に対して操作パネル部４の方向に遠近動するスライド手段４７とを備えたスライダ・リンク機構である。この構成を詳述すると、リンク４６は、本体ケース２の左右両側に設けられ、第１実施形態と同様に、操作パネル部１４に近い側において、本体ケース２のブラケット部に、リンク４６の下端の枢支ピン（回動支点）４６ａが回動可能に枢着されている。同様に、操作パネル部１４に近い側において、画像読取部ケース１２の下面のブラケット部に、リンク４６の上端の枢支ピン（回動支点）４６ｂが回動可能に枢着されている（図８（ａ）〜図８（ｃ）参照）。その他の構成は第１実施形態と同じであるので、同じ部材、構造については、同じ符号を付して、詳細な説明は省略する。
【００４３】
スライド手段４７は、左右一対のガイドレール４８と、各ガイドレール４８に沿って滑るローラ４９とからなる。ガイドレール４８は、本体ケース２の上面開口部２ｃにおいて、左右両側部に前後方向に延びるように設けられている。ローラ４９は画像読取部ケース１２の下面左右両側の後端部に設けられている。ガイドレール４８の形態は種々であり、横断面が逆Ｌ型、Ｔ型に形成された場合は、ガイドレール４８の側面側の溝部にローラ４９が配置されて、上方にローラ４９が抜け出ない。ガイドレール４８に横向き貫通した長孔が形成された形態では、その長孔にローラ４９を嵌め入れて摺動または転動可能に構成することができる。
【００４４】
本実施形態においても、画像読取部ケース１２の背面板の下端に、ガイドレール４８が通過できる切欠き部５０を設ければ、全閉状態の画像読取部ケース１２を本体ケース２の上面開口部２ｃに対して密接させることができる。
【００４５】
上記の第２実施形態の開閉手段４６によれば、ユーザーは画像読取部ケース１２の前側を持ち上げて本体ケース２の前方に引くと（図８（ｂ）参照）、本体ケース２の上面開口部２ｃの後半部が現れる。さらに画像読取部ケース１２を前方に引いて、リンク４６が前倒れ状態になると、第１実施形態と同様に、画像読取部ケース１２が操作パネル部１４の上面と、本体ケース２の上面開口部２ｃのうち操作パネル部１４に隣接する個所とに跨がるように全開姿勢で安定する。従って、第１実施形態と同様に紙ジャム処理を簡単に行うことができる等、同じ作用効果を奏する。なお、第２実施形態では、画像読取部ケース１２の後端側が本体ケース２の上面開口部２ｃから離れないので、より一層安定した移動走査を行える。
【００４６】
第１及び第２の両実施形態のいずれにおいても、本体ケース２の上面開口部２ｃの一部に操作パネル部１４等の上向きの突出部があっても、これに邪魔されること無く、画像読取部ケース１２の少なくとも一方（突出部に近い側）を持ち上げた状態で移動でき、この突出部を乗り越えることができるから、上面開口部２ｃを大きい範囲で開放することができる。また、全閉状態から全開状態まで、画像読取部ケース１２の後端（背面）が本体ケース２の後端（背面）よりも後方に位置することがないので、本発明適用した画像記録装置の背面を室の壁に接近させて配置しても、本体ケース２の上面開口部２ｃを開放する作業に不都合がない。
【００４７】
上記第１、第２実施形態では、本体ケース２の上側の前方に画像読取部ケース１２を移動させて開放する構成であったが、本体ケース２の上側の左右いずれか一方に画像読取部ケース１２を移動させて開放する構成であっても良く、その場合、突出部として、通信用のハンドセットの置き場等を想定することができる。
【００４８】
なお、本願発明は、原稿カバー体１３の上面の一部に、原稿自動搬送装置と原稿載置部とを設けて、複数枚の原稿を１枚ずつ画像読取装置（スキャナ部）１２ａに送って原稿読取後、原稿カバー体１３の上面側に形成された原稿排紙部に排出する構成のものにも適用できることはいうまでもない。
【図面の簡単な説明】
【００４９】
【図１】本発明の画像記録装置の前方斜視図である。
【図２】本発明の画像記録装置の側断面図である。
【図３】第１実施形態の全閉状態の画像記録装置の後方斜視図である。
【図４】第１実施形態の全開状態の画像記録装置の後方斜視図である。
【図５】（ａ）は全閉状態の画像記録装置の側面図、（ｂ）は開閉途中の側面図、（ｃ）は全開状態の画像記録装置の側面図である。
【図６】第２実施形態の全閉状態の画像記録装置の後方斜視図である。
【図７】第２実施形態の全開状態の画像記録装置の後方斜視図である。
【図８】（ａ）は全閉状態の画像記録装置の側面図、（ｂ）は開閉途中の側面図、（ｃ）は全開状態の画像記録装置の側面図である。
【符号の説明】
【００５０】
１      多機能装置
２      本体ケース
２ｃ      上面開口部
４      記録ヘッド
７      記録部
１２    画像読取部ケース
１４    突出部の一例としての操作パネル部
４０、４５    開閉手段
４１    第１リンク
４２    第２リンク
４６    リンク
４７    スライダ手段
４８    ガイドレール
４９    ローラ
３５    外径側搬送路体
３６    内径側搬送路体
【図１】
2008113322.tif 000003
【図２】
2008113322.tif 000004
【図３】
2008113322.tif 000005
【図４】
2008113322.tif 000006
【図５】
2008113322.tif 000007
【図６】
2008113322.tif 000008
【図７】
2008113322.tif 000009
【図８】
2008113322.tif 000010